(57)【要約】      （修正有）【課題】仕上がり寸法に公差以上の誤差が生じた場合に、容易に金型を修正して上側ケースと下側ケースの嵌合状態を改善可能なリモコン装置を提供する。【解決手段】略矩形状で四方に側壁を有し底部が開口された上側ケース１０と、略矩形状で四方に側壁を有し上部が開口された下側ケースとで構成され、前記上側ケース１０の側壁が前記下側ケースの開口部に嵌合されてなるリモコン装置であって、前記上側ケース１０又は下側ケースは、その側壁外面に前記下側ケース又は上側ケース１０の側壁内面と当接する複数の突出部１６を有するようにした。【選択図】図１
2006066472.tif 000002
【特許請求の範囲】
【請求項１】
略矩形状で四方に側壁を有し底部が開口された上側ケースと、略矩形状で四方に側壁を有し上部が開口された下側ケースとで構成され、前記上側ケースの側壁が前記下側ケースの開口部に嵌合されてなるリモコン装置であって、
前記上側ケースは、その側壁の開口縁部にはめ込み部が設けられ、該はめ込み部の外面に前記下側ケースの側壁内面と当接する側壁の高さ方向に形成された複数の半円柱状リブを有することを特徴とするリモコン装置。
【請求項２】
略矩形状で四方に側壁を有し底部が開口された上側ケースと、略矩形状で四方に側壁を有し上部が開口された下側ケースとで構成され、前記上側ケースの側壁が前記下側ケースの開口部に嵌合されてなるリモコン装置であって、
前記上側ケース又は下側ケースは、その側壁外面に前記下側ケース又は上側ケースの側壁内面と当接する複数の突出部を有することを特徴とするリモコン装置。
【請求項３】
前記上側ケース又は下側ケースの側壁の開口側縁部には、はめ込み部が設けられており、前記突出部は前記はめ込み部の外面に形成されていることを特徴とする請求項２に記載のリモコン装置。
【請求項４】
前記突出部は、側壁の高さ方向に形成された半円柱状リブであることを特徴とする請求項２又は３に記載のリモコン装置。
【発明の詳細な説明】
【技術分野】
【０００１】
本発明は、上側ケースと下側ケースとが嵌合されてなるリモコン装置に関し、嵌合部においてがたつきが生じた場合に容易に設計変更可能なリモコン装置に関する。
【背景技術】
【０００２】
従来、一般に使用されているリモコン装置は、ほとんどが上側ケースと下側ケースを嵌合させて構成され、上側ケースに設けられた複数の開口部から操作ボタンが外部に臨むようにされている。
【０００３】
図５は、従来のリモコン装置の上側ケースの構造の一例を示す説明図で、図５（ａ）は平面図で図５（ｂ）は側面図である。
【０００４】
図５に示すリモコン装置の上側ケース１０は、主操作部１１と、副操作部１２と、電池収納部１３と、を有し、副操作部１２と電池収納部１３は図示しないスライド式のカバーにより通常は覆われることとなる。
【０００５】
上側ケース１０の側壁下縁部には後述する下側ケース３０と嵌合される板状のはめ込み部１５（以下、インローと称する）が垂設されている。これにより、上側ケース１０と下側ケース３０とを容易に位置決めして嵌合することができる。なお、副操作部１２及び電池格納部１３が設けられている部分（下半部）にはインロー１５は形成されない。
【０００６】
さらに、上半部のインロー１５及び下半部の側壁１８の所定の位置には、下側ケース３０の側壁上部に設けられたフック状係止片と係合可能なフック係合部１７が凹設されている。
【０００７】
図６は、図５に示す上側ケース１０と、対応する下側ケース３０とを嵌合させたときの断面図である。図６に示すように、上側ケース１０のインロー１５の外面が下側ケース３０の側壁３１の内面に当接されている。また、図示は省略するが、下側ケース３０のフック状係止片が前記フック係合部１７に係合されるとともに、上側ケース１０の主面内側に設けられた凸部が下側ケース３０の主面内側に設けられた円筒状係合部に係合されることで、上側ケース１０と下側ケース３０は固定されている。
【０００８】
図７は、上側ケース１０と下側ケース３０との嵌合状態を示す拡大断面図である。図７に示すように、上側ケース１０と下側ケース３０のそれぞれの寸法は製造誤差（公差）を考慮して設計され、例えば、上側ケース１０のインロー１１と下側ケース３０の側面内壁との隙間が０．１ｍｍとなるように設計される。
【０００９】
上述したように、従来のリモコン装置においては、下側ケース３０の側壁３１と上側ケース１０のインロー１５が面接触により当接されている。
【００１０】
また、下側ケース３０の底面幅方向にリブを立設して、該リブと下側ケース３０の側面内壁により上側ケース１０のインロー１１が狭持される構成とし、上側ケース１０と下側ケース３０との離脱を防止するようにしたリモコン装置が提案されている（特許文献１）。
【特許文献１】特開平８−２０５２６９号公報
【発明の開示】
【発明が解決しようとする課題】
【００１１】
ところで、リモコン装置の上側ケース１０と下側ケース３０とは、通常、金型を用いて樹脂成形により製造されるが、仕上がり寸法に公差（例えば０．１ｍｍ）以上の誤差が生じた場合には、上側ケース１０と下側ケース３０とを正常な状態で嵌合させることができなくなる。例えば、インロー１１の肉厚が厚すぎて下側ケース３０にはめ込むことができなくなったり、インロー１１の肉厚が一定でなくがたつきを生じたりするという不具合が生じる。
【００１２】
このような不具合が生じた場合、従来のリモコン装置においては、下側ケース３０の側壁３１と上側ケース１０のインロー１１が全面で当接される構造となっているため、インロー１１の肉厚全体を変更する必要がある。したがって、インロー１１に対応する金型の部分を全面で切削することとなり、金型の修正に長時間を要していた。
【００１３】
本発明は、仕上がり寸法に公差以上の誤差が生じた場合に、容易に金型を修正して上側ケースと下側ケースの嵌合状態を改善可能なリモコン装置を提供することを目的とする。
【課題を解決するための手段】
【００１４】
本発明は、上記課題を解決するためになされたものであり、略矩形状で四方に側壁を有し底部が開口された上側ケースと、略矩形状で四方に側壁を有し上部が開口された下側ケースとで構成され、前記上側ケースの側壁が前記下側ケースの開口部に嵌合されてなるリモコン装置であって、前記上側ケース又は下側ケースは、その側壁外面に前記下側ケース又は上側ケースの側壁内面と当接する複数の突出部を有するようにしたものである。
【００１５】
ここで、前記突出部は、上側ケースの四方の側壁全部に設けるようにしてもよいし、その一部に設けるようにしてもよい。特に、がたつきが生じやすいリモコン装置の長手方向の一対の側壁に設けるのが望ましい。
【００１６】
また、前記上側ケース又は下側ケースの側壁の開口側縁部にはめ込み部（インロー）が設けられている場合は、前記突出部は前記はめ込み部の外面に形成されるようにした。
【００１７】
また、前記突出部は、上側ケースの側壁の高さ方向に形成された半円柱状リブとするのが望ましい。
【発明の効果】
【００１８】
本発明によれば、リモコン装置の上側ケースと下側ケースを嵌合した際、上側ケースの側壁外面に設けられた複数の突出部（リブ）と下側ケースの側壁内面とが当接することとなるので、嵌合部における仕上がり寸法に公差以上の誤差が生じたときには前記突出部の高さを調整する、すなわち、突出部に対応する金型の凹部を個々に切削することで嵌合状態を改善することができる。このとき、複数の突出部の全部で調整してもよいし、その一部で調整することもできる。
【００１９】
したがって、従来のようにインローに対応する金型の部分を全面で切削するのに比較して、金型の修正が格段に容易になる上、細かいがたつきが生じた場合にも部分的に対応することができる。
【００２０】
また、リモコン装置においては、上側ケースのリブと下側ケースの側壁が部分的に当接し、リブの設けられていない部分には隙間が形成されることとなるため、上側ケースと下側ケースを嵌合した状態で落下等により衝撃を与えた場合、この隙間により衝撃が緩和されるので、耐衝撃性を向上することができる。
【発明を実施するための最良の形態】
【００２１】
以下、本発明の好適な実施の形態を図面に基づいて説明する。
【００２２】
図１は、テレビジョン受像機のリモコン装置１００の構造を示す説明図で、図１（ａ）は平面図で図１（ｂ）は上側ケースの側面図である。
【００２３】
図１に示すように、リモコン装置１００の上側ケース１０は、電源ボタン、チャンネルボタン、音量ボタン等が設けられた主操作部１１と、通常の番組視聴には用いられないボタン等が設けられた副操作部１２と、電池収納部１３と、を有し、副操作部１２と電池収納部１３は図示しないスライド式のカバーにより通常は覆われることとなる。
【００２４】
上側ケース１０は略矩形状で四方に側壁を有し底部が開口されており、主操作部１１が設けられている部分（上半部）の長手方向の側壁１４には、その開口側の縁部に下側ケース３０と嵌合される板状のはめ込み部１５（以下、インローと称する）が垂設されている。このインロー１５、上側ケース１０と下側ケース３０とを容易に位置決めして嵌合することができる。
【００２５】
さらに、本実施形態では、インロー１５に半円柱状のリブ１６を形成している点が従来のリモコン装置（図４参照）と異なる。本実施形態では、片側のインロー１５にほぼ等間隔に７箇所にリブ１６を設けており、反対側のインローにも同様に設けられている。
【００２６】
一方、副操作部１２及び電池格納部１３が設けられている部分（下半部）の長手方向の側壁１８にはガイド１９が設けられ、このガイド１９と上側カバー１０の主面端部によりスライド式のカバーを摺動するための溝２０が形成されている。
【００２７】
また、上半部に形成されたインロー１５と下半部の側壁１８の所定の位置には、下側ケース３０の側壁上部に設けられたフック状係止片と係合可能なフック係合部１７が凹設されている。
【００２８】
図２は、本実施形態に係るリモコン装置１００の断面図である。図２に示すように、上側ケース１０のインロー１５が下側ケース３０の開口部に嵌合される。また、図示は省略するが、下側ケース３０のフック状係止片が前記フック係合部１７に係合されるとともに、上側ケース１０の主面内側に設けられた凸部が下側ケース３０の主面内側に設けられた円筒状係合部に係合されることで、上側ケース１０と下側ケース３０は固定されている。
【００２９】
図３は、上側ケース１０と下側ケース３０との嵌合状態を示す拡大断面図であり、図３（ａ）はリブ１６が設けられていない部位の断面図で、図３（ｂ）はリブ１６が設けられている部位の断面図である。また、図４は、図３（ｂ）の一点鎖線Ａ−Ａにおける断面図である。
【００３０】
図３、４に示すように、リブ１６が設けられていない部位ではインロー１５と下側ケース３０の側壁３１とは完全に離間されているのに対して、リブ１６が設けられている部位ではインロー１５に形成されたリブ１６と下側ケース３０の側壁３１とが当接している。
【００３１】
なお、上側ケース１０と下側ケース３０のそれぞれの寸法は製造誤差（公差）を考慮して設計される。本実施形態では、図３、４に示すように、上側ケース１０のインロー１５と下側ケース３０の側壁３１との隙間を０．３ｍｍ、リブ１６の高さを０．２ｍｍとなるように設計している。すなわち、リブ１６と下側ケース３０の側壁内面との隙間は０．１ｍｍ（公差）となっている（公差は従来と変わらない）。
【００３２】
上述したように、本実施形態に係るリモコン装置１００では、上側ケース１０と下側ケース３０を嵌合した際、上側ケース１０の側壁外面に設けられた複数のリブ１６と下側ケース３０の側壁内面とが部分的に当接することとなる。このようなリモコン装置１００においては、嵌合部（リブ１６と下側ケースの側壁の隙間）における仕上がり寸法に公差（本実施形態では０．１ｍｍ）以上の誤差が生じたときにはリブ１６の高さを調整する、すなわち、リブ１６に対応する金型の凹部を個々に切削することで嵌合状態を改善することができる。このとき、複数のリブ１６の全部を調整してもよいし、その一部で調整するようにしてもよい。これにより、従来のようにインロー１５に対応する金型の部分を全面で切削するのに比較して、金型の修正が格段に容易になる上、細かいがたつきが生じた場合にも個々のリブ１６の高さを調整することで部分的に対応することができる。
【００３３】
また、上側ケース１０のリブ１６と下側ケース３０の側壁３１が部分的に当接し、リブ１６の設けられていない部分には隙間が形成されることとなるため、上側ケース１０と下側ケース３０を嵌合した状態で落下等により衝撃を与えた場合、この隙間により衝撃が緩和されるので、耐衝撃性を向上することができる。
【００３４】
以上、本発明者によってなされた発明を実施形態に基づいて具体的に説明したが、本発明は上記実施形態に限定されるものではなく、その要旨を逸脱しない範囲で変更可能である。
【００３５】
例えば、上記実施形態では、上側ケース１０の長手方向の側壁１４に設けられたインロー１５に複数のリブ１６を設けるようにしているが、上側ケースの短手方向の側壁にリブを設けるようにしてもよい。また、リブ１６の数は特に制限されないが、落下等の衝撃に対する耐性や、外部からの押圧による外形の変形等を考慮して決定するのが望ましい。
【００３６】
また、上記実施形態では、上側ケース１０の側壁１４に複数のリブ１６を設けるようにしているが、下側ケース３０の側壁３１に複数のリブ１６を設けた構造とすることもできる。
【図面の簡単な説明】
【００３７】
【図１】テレビジョン受像機のリモコン装置の構造を示す説明図である。
【図２】本実施形態に係るリモコン装置の断面図である。
【図３】本実施形態のリモコン装置における、上側ケースと下側ケースとの嵌合状態を示す拡大断面図である。
【図４】図３（ｂ）の一点波線Ａ−Ａにおける断面図である。
【図５】テレビジョン受像機の従来のリモコン装置の構造を示す説明図である。
【図６】従来のリモコン装置の断面図である。
【図７】従来のリモコン装置における、上側ケースと下側ケースとの嵌合状態を示す拡大断面図である。
【符号の説明】
【００３８】
１０  上側ケース
１１  主操作部
１２  副操作部
１３  電池格納部
１４  長手方向側壁部（上半部）
１５  インロー（はめ込み部）
１６  リブ（突出部）
１７  フック係合部
１８  長手方向側壁部（下半部）
１９  ガイド
２０  スライド式カバー摺動用溝
３０  下側ケース
３１  長手方向側壁
【図１】
2006066472.tif 000003
【図２】
2006066472.tif 000004
【図３】
2006066472.tif 000005
【図４】
2006066472.tif 000006
【図５】
2006066472.tif 000007
【図６】
2006066472.tif 000008
【図７】
2006066472.tif 000009